【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
複数の測定光を照射した被検査物からの複数の戻り光と、該複数の測定光それぞれに対応する複数の参照光とをそれぞれ合波した複数の光を用いて、該被検査物の断層画像を取得する光断層撮像装置であって、
前記複数の測定光を走査する走査手段と、
前記走査手段により走査された前記複数の測定光を、前記被検査物の深さ方向に対して交差する方向における異なる照射領域に照射する照射手段と、
前記被検査物の深さ方向における断層画像を取得可能な範囲が、前記複数の光のうち少なくとも一つが他に対して、異なるように、前記複数の光のそれぞれを検出する検出手段と、
を備えることを特徴とする光断層撮像装置。
【請求項２】
前記被検査物が眼球であり、
前記検出手段は、前記眼球における眼底部の黄斑部の断層画像を取得可能な範囲は、前記眼球における眼底部の視神経乳頭の断層画像を取得可能な範囲よりも小さくなるように構成されることを特徴とする請求項１に記載の光断層撮像装置。
【請求項３】
前記検出手段は、
複数のセンサーから構成され、
前記複数のセンサーそれぞれで検出される前記複数の光の波長の範囲が、前記複数のセンサーのうち少なくとも一つが他に対して、異なるように構成されることを特徴とする請求項１または請求項２に記載の光断層撮像装置。
【請求項４】
前記被検査物が眼球であり、
前記複数のセンサーは、前記眼球における眼底部の黄斑部の断層画像を取得するための第１のセンサーと、前記眼球における眼底部の視神経乳頭の断層画像を取得するための第２のセンサーとを含み、
前記検出手段は、前記第１のセンサーに入射する光の波長の範囲は、前記第２のセンサーに入射する光の波長の範囲よりも大きくなるように構成されることを特徴とする請求項３に記載の光断層撮像装置。
【請求項５】
前記検出手段は、複数の分光手段と、複数のセンサーとから構成され、
前記複数の分光手段は、前記複数のセンサーにおける前記合波光の分光幅が、少なくとも１つは異なる分光幅になるように構成されることを特徴とする請求項１または請求項２に記載の光断層撮像装置。
【請求項６】
前記複数の分光手段は、結像レンズの焦点距離あるいは回折格子のピッチが異なり、少なくとも１つは異なる分光幅に設定されていることを特徴とする請求項５に記載の光断層撮像装置。
【請求項７】
前記結像レンズの焦点距離が可変となるように構成されていることを特徴とする請求項６に記載の光断層撮像装置。
【請求項８】
前記被検査物が眼球であり、
前記複数の測定光が第１の測定光と第２の測定光からなり、
前記第１の測定光による合波光により前記眼球における眼底部の黄斑部の断層画像が取得され、
前記第２の測定光による合波光により前記眼球における眼底部の視神経乳頭の断層画像が取得されることを特徴とする請求項１または５乃至７のいずれか１項に記載の光断層撮像装置。
【請求項９】
前記被検査物が眼球であり、
前記複数の測定光が第１の測定光と第２の測定光と第３の測定光から成り、
前記第１の測定光又は前記第３の測定光による合波光により前記眼球における眼底部の黄斑部と視神経乳頭とのうち一方の断層画像が取得され、
前記第２の測定光による合波光により前記黄斑と前記視神経乳頭とのうち他方の断層画像が取得されることを特徴とする請求項１または５乃至８のいずれか１項に記載の光断層撮像装置。
【請求項１０】
前記被検査物が眼球であり、
前記眼球が左眼か右眼かに従って、前記分光幅を変更する分光幅変更手段を備えることを特徴とする請求項１または５乃至９のいずれか１項に記載の光断層撮像装置。
【請求項１１】
前記照射手段により照射される前記複数の測定光の被検査物の照射位置を調整する調整手段を備え、
前記調整手段は、倍率変更手段あるいは物点位置変更手段を備えていることを特徴とする請求項１または５乃至１０のいずれか１項に記載の光断層撮像装置。
【請求項１２】
複数の測定光を照射した被検査物からの複数の戻り光と、該複数の測定光それぞれに対応する複数の参照光とをそれぞれ合波した複数の光を用いて、該被検査物の断層画像を取得する光断層撮像装置の制御方法であって、
前記複数の測定光を走査する走査手段により走査された前記複数の測定光を、前記被検査物の深さ方向に対して交差する方向における異なる照射領域に照射する工程と、
前記被検査物の深さ方向における断層画像を取得可能な範囲が、前記複数の光のうち少なくとも一つが他に対して、異なるように、前記複数の光のそれぞれを検出する工程と、
を含むことを特徴とする光断層撮像装置の制御方法。
【請求項１３】
前記被検査物が眼球であり、
前記検出する工程では、前記眼球における眼底部の黄斑部の断層画像を取得可能な範囲は、前記眼球における眼底部の視神経乳頭の断層画像を取得可能な範囲よりも小さくなるように、前記複数の光それぞれを検出することを特徴とする請求項１２に記載の光断層撮像装置の制御方法。
【請求項１４】
前記被検査物が眼球であり、
前記複数の測定光が第１の測定光と第２の測定光からなり、
前記第１の測定光による合波光により前記眼球における眼底部の黄斑部の断層画像が取得され、
前記第２の測定光による合波光により前記眼球における眼底部の視神経乳頭の断層画像が取得されることを特徴とする請求項１２または請求項１３に記載の光断層撮像装置の制御方法。
【請求項１５】
請求項１２乃至１４のいずれか１項に記載の光断層撮像装置の制御方法の各工程をコンピュータに実行させることを特徴とするプログラム。
【手続補正２】
【補正対象書類名】明細書
【補正対象項目名】発明の名称
【補正方法】変更
【補正の内容】
【発明の名称】光断層撮像装置及び光断層撮像方法
【手続補正３】
【補正対象書類名】明細書
【補正対象項目名】０００１
【補正方法】変更
【補正の内容】
【０００１】
本発明は、光断層撮像装置及び光断層撮像方法に関し、特に眼科診療等に用いられる光断層撮像装置及び光断層撮像方法に関するものである。
【手続補正４】
【補正対象書類名】明細書
【補正対象項目名】０００６
【補正方法】変更
【補正の内容】
【０００６】
本発明は、上記課題に鑑み、複数の測定光からなる光を用いて被検査物における異なる部位に照射し、光学系の特性をこれらの部位に適合するように設定して、被検査物の断層像の撮像が可能となる光断層撮像装置及び光断層撮像方法の提供を目的とする。
【手続補正５】
【補正対象書類名】明細書
【補正対象項目名】０００７
【補正方法】変更
【補正の内容】
【０００７】
本発明は、つぎのように構成した光断層撮像装置及び光断層撮像方法を提供するものである。
本発明の光断層撮像装置は、複数の測定光を照射した被検査物からの複数の戻り光と、該複数の測定光それぞれに対応する複数の参照光とをそれぞれ合波した複数の光を用いて、該被検査物の断層画像を取得する光断層撮像装置であって、
前記複数の測定光を走査する走査手段と、
前記走査手段により走査された前記複数の測定光を、前記被検査物の深さ方向に対して交差する方向における異なる照射領域に照射する照射手段と、
前記被検査物の深さ方向における断層画像を取得可能な範囲が、前記複数の光のうち少なくとも一つが他に対して、異なるように、前記複数の光のそれぞれを検出する検出手段と、
を備えることを特徴とする。
また、本発明の光断層撮像方法は、複数の測定光を照射した被検査物からの複数の戻り光と、該複数の測定光それぞれに対応する複数の参照光とをそれぞれ合波した複数の光を用いて、該被検査物の断層画像を取得する光断層撮像装置の制御方法であって、
前記複数の測定光を走査する走査手段により走査された前記複数の測定光を、前記被検査物の深さ方向に対して交差する方向における異なる照射領域に照射する工程と、
前記被検査物の深さ方向における断層画像を取得可能な範囲が、前記複数の光のうち少なくとも一つが他に対して、異なるように、前記複数の光のそれぞれを検出する工程と、
を含むことを特徴とする。
【手続補正６】
【補正対象書類名】明細書
【補正対象項目名】０００８
【補正方法】変更
【補正の内容】
【０００８】
本発明によれば、複数の測定光からなる光を用いて被検査物における異なる部位に照射し、光学系の特性をこれらの部位に適合するように設定して、被検査物の断層像の撮像が可能となる光断層撮像装置及び光断層撮像方法を実現することができる。